(57)【特許請求の範囲】
【請求項１】
屋根の傾斜方向における下方側の屋根材の一部に上方側の屋根材の一部が上に重なるようにして屋根材が並ぶ屋根の上に配線・配管材を固定するための、配線・配管材固定具であって、
前記屋根材に取り付けられるよう、前記下方側の屋根材と前記上方側の屋根材との重なり部分の隙間に外側から挿入される、被取付部と、前記配線・配管材を保持する保持部とを、備え、
前記被取付部は、被取付部本体と、その被取付部本体に、前記被取付部の少なくとも挿入方向にずれて設けられる、複数の爪部形成片とを、有し、
前記爪部形成片は、前記被取付部本体側に倒れた位置から、前記挿入方向とは反対の反挿入方向を向くよう斜めに起こされた位置に塑性変形可能であって、
前記爪部形成片のうちの所要の爪部形成片を斜めに起こして前記爪部を形成しておき、前記被取付部を前記隙間に外側から挿入することにより、その爪部が、前記上方側の屋根材または前記下方側の屋根材に掛け止められて、前記被取付部が前記隙間から抜け止めされることを特徴とする、配線・配管材固定具。
【請求項２】
屋根の傾斜方向における下方側の屋根材の一部に上方側の屋根材の一部が上に重なるようにして屋根材が並ぶ屋根の上に配線・配管材を固定するための、配線・配管材固定具であって、
前記屋根材に取り付けられるよう、前記下方側の屋根材と前記上方側の屋根材との重なり部分の隙間に外側から挿入される、被取付部と、前記配線・配管材を保持する保持部とを、備え、
前記被取付部は、被取付部本体と、その被取付部本体に、前記被取付部の少なくとも挿入方向にずれて設けられる、複数の爪部形成片とを、有し、
前記爪部形成片は、前記被取付部本体側に倒れた位置から、前記挿入方向とは反対の反挿入方向を向くよう斜めに起こされた位置に塑性変形可能であって、
前記爪部形成片のうちの所要の爪部形成片を斜めに起こして前記爪部を形成しておき、前記被取付部を前記隙間に外側から挿入することにより、その爪部が、前記上方側の屋根材の前側に下方に向けて突出するように形成された前垂部に掛け止められて、前記被取付部が前記隙間から抜け止めされることを特徴とする、配線・配管材固定具。
【請求項３】
前記爪部形成片は、前記被取付部本体から直立するよう起こされた位置に塑性変形可能であって、その直立して形成される規制部は、前記被取付部の、前記隙間に外側から挿入される挿入長さを制限するように、前記上方側の屋根材の前面部と対向して、その前面部に係合可能であることを特徴とする、請求項１または２に記載の配線・配管材固定具。
【請求項４】
前記被取付部は、前記爪部形成片とは別に、前記被取付部本体側に倒れた位置から、直立するよう起こされた位置に塑性変形可能で、少なくとも前記挿入方向にずれて設けられる、複数の規制部形成片を有し、その直立して形成される規制部は、前記被取付部の、前記隙間に外側から挿入される挿入長さを制限するように、前記上方側の屋根材の前面部と対向して、その前面部に係合可能であることを特徴とする、請求項１または２に記載の配線・配管材固定具。
【請求項５】
前記爪部形成片の少なくとも一部の爪部形成片には、その爪部形成片を起こすための工具が差し入れられる工具挿入孔があけられていることを特徴とする、請求項１ないし４のいずれか１項に記載の配線・配管材固定具。
【請求項６】
前記爪部形成片は、前記挿入方向にずれて、三つ以上設けられ、それら爪部形成片のうちの、前記挿入方向の先端側から数えた一つ目、または、一つ目および二つ目が、予め斜めに起こされて前記爪部となっていることを特徴とする、請求項１ないし５のいずれか１項に記載の配線・配管材固定具。
【請求項７】
前記被取付部は、板材からなり、
前記爪部形成片の少なくとも一部の爪部形成片は、前記挿入方向に直交する、前記被取付部の幅方向の両端縁に設けられ、かつ、その端縁に通ずる切込みによって形成されることを特徴とする、請求項１ないし６のいずれか１項に記載の配線・配管材固定具。
【請求項８】
前記爪部形成片の少なくとも一部の爪部形成片は、前記挿入方向に直交する、前記被取付部の幅方向の中間位置に設けられることを特徴とする、請求項１ないし７のいずれか１項に記載の配線・配管材固定具。
【請求項９】
前記配線・配管材固定具は、前記被取付部を有するベース体と、前記保持部を有して前記ベース体に着脱可能に取付け固定される保持部材とを備えることを特徴とする、請求項１ないし８のいずれか１項に記載の配線・配管材固定具。
【請求項１０】
前記ベース体は、前記保持部材が取付け固定される保持部材取付部を有し、
前記保持部材取付部は、上方に突出形成されて、前記保持部材の基部を止めるための固着具が挿入される、固着具挿入孔を有することを特徴とする、請求項９に記載の配線・配管材固定具。
【発明の詳細な説明】
【技術分野】
【０００１】
この発明は、屋根の上に配線・配管材を固定するための配線・配管材固定具に関するものである。
【背景技術】
【０００２】
従来、屋根にパイプ（配管材）を固定する固定具として、屋根に釘で取付け固定されるパイプ止め金具があった（例えば、特許文献１参照）。このパイプ止め金具は、帯状金属板を曲げて形成されるものであって、円弧状のパイプ押え部と、釘を通す挿通孔が設けられた平坦な被取付部とを備えていた。そこで、屋根にパイプを固定するにあたっては、このパイプ止め金具の二つを向き合わせて、パイプ押え部でパイプを挟んだ状態で、釘を被取付部の挿通孔から屋根の瓦の小孔を通して下地部分に打ち込んだ。
【先行技術文献】
【特許文献】
【０００３】
【特許文献１】実開平５−４５３７０号公報
【発明の概要】
【発明が解決しようとする課題】
【０００４】
ところで、前記従来のパイプ押え金具にあっては、釘を用いるために、瓦に小孔をあけたときとか、釘を打ち込んだときに、瓦が割れないように細心の注意を払わなければならず、その作業が厄介だった。
【０００５】
この発明は、上記した従来の欠点を解決するためになされたものであり、その目的とするところは、屋根に簡単に取り付けることができる、配線・配管材固定具を提供することにある。
【課題を解決するための手段】
【０００６】
この発明に係る配線・配管材固定具は、前記目的を達成するために、次の構成からなる。すなわち、
請求項１に記載の発明に係る配線・配管材固定具は、屋根の傾斜方向における下方側の屋根材の一部に上方側の屋根材の一部が上に重なるようにして屋根材が並ぶ屋根の上に配線・配管材を固定するための、配線・配管材固定具である。この配線・配管材固定具は、前記屋根材に取り付けられるよう、前記下方側の屋根材と前記上方側の屋根材との重なり部分の隙間に外側から挿入される、被取付部と、前記配線・配管材を保持する保持部とを、備える。ここで、前記被取付部は、被取付部本体と、その被取付部本体に、前記被取付部の少なくとも挿入方向にずれて設けられる、複数の爪部形成片とを、有する。これら爪部形成片は、前記被取付部本体側に倒れた位置から、前記挿入方向とは反対の反挿入方向を向くよう斜めに起こされた位置に塑性変形可能である。そこで、前記爪部形成片のうちの所要の爪部形成片を斜めに起こして前記爪部を形成しておき、前記被取付部を前記隙間に外側から挿入することにより、その爪部が、前記上方側の屋根材または前記下方側の屋根材に掛け止められて、前記被取付部が前記隙間から抜け止めされる。
【０００７】
この配線・配管材固定具によると、配線・配管材を屋根に固定するには、始めに、配線・配管材固定具の被取付部に備わる複数の爪部形成片のうちの所要の爪部形成片を斜めに起こすことで、爪部を形成しておく。そして、被取付部を、下方側の屋根材と上方側の屋根材との重なり部分の隙間に外側から挿入する。すると、爪部は、上方側の屋根材または下方側の屋根材に掛け止められる。こうして、被取付部、ひいては配線・配管材固定具は、屋根に取り付けられる。そして、保持部で配線・配管材を保持する。このように、配線・配管材固定具を屋根に取り付けるとともに、保持部で配線・配管材を保持することで、配線・配管材は、屋根に固定される。ここで、爪部形成片は、被取付部の少なくとも挿入方向にずれて複数設けられているため、それら爪部形成片のいずれかを斜めに起こして爪部を形成し、その爪部を上方側の屋根材または下方側の屋根材に掛け止めることで、上方側の屋根材からの保持部の位置、つまりは配線・配管材の位置を調整することができる。なお、配線・配管材固定具を屋根に取り付ける作業と、保持部で配線・配管材を保持する作業の順序は、特に問わない。
【０００８】
また、請求項２に記載の発明に係る配線・配管材固定具は、屋根の傾斜方向における下方側の屋根材の一部に上方側の屋根材の一部が上に重なるようにして屋根材が並ぶ屋根の上に配線・配管材を固定するための、配線・配管材固定具である。この配線・配管材固定具は、前記屋根材に取り付けられるよう、前記下方側の屋根材と前記上方側の屋根材との重なり部分の隙間に外側から挿入される、被取付部と、前記配線・配管材を保持する保持部とを、備える。ここで、前記被取付部は、被取付部本体と、その被取付部本体に、前記被取付部の少なくとも挿入方向にずれて設けられる、複数の爪部形成片とを、有する。これら爪部形成片は、前記被取付部本体側に倒れた位置から、前記挿入方向とは反対の反挿入方向を向くよう斜めに起こされた位置に塑性変形可能である。そこで、前記爪部形成片のうちの所要の爪部形成片を斜めに起こして前記爪部を形成しておき、前記被取付部を前記隙間に外側から挿入することにより、その爪部が、前記上方側の屋根材の前側に下方に向けて突出するように形成された前垂部に掛け止められて、前記被取付部が前記隙間から抜け止めされる。
【０００９】
この配線・配管材固定具によると、配線・配管材を屋根に固定するには、始めに、配線・配管材固定具の被取付部に備わる複数の爪部形成片のうちの所要の爪部形成片を斜めに起こすことで、爪部を形成しておく。そして、被取付部を、下方側の屋根材と上方側の屋根材との重なり部分の隙間に外側から挿入する。すると、爪部は、上方側の屋根材の前垂部に掛け止められる。こうして、被取付部、ひいては配線・配管材固定具は、屋根に取り付けられる。そして、保持部で配線・配管材を保持する。このように、配線・配管材固定具を屋根に取り付けるとともに、保持部で配線・配管材を保持することで、配線・配管材は、屋根に固定される。ここで、爪部形成片は、被取付部の少なくとも挿入方向にずれて複数設けられているため、その爪部形成片のいずれかを斜めに起こして爪部を形成し、その爪部を上方側の屋根材の前垂部に掛け止めることで、上方側の屋根材からの保持部の位置、つまりは配線・配管材の位置を調整することができる。なお、配線・配管材固定具を屋根に取り付ける作業と、保持部で配線・配管材を保持する作業の順序は、特に問わない。
【００１０】
また、請求項３に記載の発明に係る配線・配管材固定具は、請求項１または２に記載の配線・配管材固定具において、前記爪部形成片は、前記被取付部本体から直立するよう起こされた位置に塑性変形可能であって、その直立して形成される規制部は、前記被取付部の、前記隙間に外側から挿入される挿入長さを制限するように、前記上方側の屋根材の前面部と対向して、その前面部に係合可能である。これにより、複数ある爪部形成片は、そのいずれかを、斜めに起こすことで爪部として機能させることも、直立するように起こすことで規制部として機能させることもできる。
【００１１】
また、請求項４に記載の発明に係る配線・配管材固定具は、請求項１または２に記載の配線・配管材固定具において、前記被取付部は、前記爪部形成片とは別に、前記被取付部本体側に倒れた位置から、直立するよう起こされた位置に塑性変形可能で、少なくとも前記挿入方向にずれて設けられる、複数の規制部形成片を有し、その直立して形成される規制部は、前記被取付部の、前記隙間に外側から挿入される挿入長さを制限するように、前記上方側の屋根材の前面部と対向して、その前面部に係合可能である。
【００１２】
また、請求項５に記載の発明に係る配線・配管材固定具は、請求項１ないし４のいずれか１項に記載の配線・配管材固定具において、前記爪部形成片の少なくとも一部の爪部形成片には、その爪部形成片を起こすための工具が差し入れられる工具挿入孔があけられている。こうして、爪部形成片に工具挿入孔があけられることから、この工具挿入孔に、ドライバー等の工具を差し入れることで、容易に爪部形成片を起こすことができる。
【００１３】
また、請求項６に記載の発明に係る配線・配管材固定具は、請求項１ないし５のいずれか１項に記載の配線・配管材固定具において、前記爪部形成片は、前記挿入方向にずれて、三つ以上設けられ、それら爪部形成片のうちの、前記挿入方向の先端側から数えた一つ目、または、一つ目および二つ目が、予め斜めに起こされて前記爪部となっている。
【００１４】
また、請求項７に記載の発明に係る配線・配管材固定具は、請求項１ないし６のいずれか１項に記載の配線・配管材固定具において、前記被取付部は、板材からなり、前記爪部形成片の少なくとも一部の爪部形成片は、前記挿入方向に直交する、前記被取付部の幅方向の両端縁に設けられ、かつ、その端縁に通ずる切込みによって形成される。
【００１５】
また、請求項８に記載の発明に係る配線・配管材固定具は、請求項１ないし７のいずれか１項に記載の配線・配管材固定具において、前記爪部形成片の少なくとも一部の爪部形成片は、前記挿入方向に直交する、前記被取付部の幅方向の中間位置に設けられる。
【００１６】
また、請求項９に記載の発明に係る配線・配管材固定具は、請求項１ないし８のいずれか１項に記載の配線・配管材固定具において、前記配線・配管材固定具は、前記被取付部を有するベース体と、前記保持部を有して前記ベース体に着脱可能に取付け固定される保持部材とを備える。
【００１７】
また、請求項１０に記載の発明に係る配線・配管材固定具は、請求項９に記載の配線・配管材固定具において、前記ベース体は、前記保持部材が取付け固定される保持部材取付部を有する。その保持部材取付部は、上方に突出形成されて、前記保持部材の基部を止めるための固着具が挿入される、固着具挿入孔を有する。
【発明の効果】
【００１８】
この発明に係る配線・配管材固定具によれば、被取付部を屋根材の隙間に挿入することで、その被取付部に設けられた爪部により配線・配管材固定具を屋根に簡単に取り付けることができる。そして、複数ある爪部形成片のいずれかを斜めに起こして爪部を形成することで、保持部に保持される配線・配管材の、上方側の屋根材からの位置を調整することができる。
【図面の簡単な説明】
【００１９】
【図１】この発明の第一の実施の形態の、全体の模式図である。
【図２】同じく、図１における要部拡大図である。
【図３】同じく、ベース体の拡大斜視図である。
【図４】同じく、ベース体の拡大正面図である。
【図５】同じく、ベース体の拡大平面図である。
【図６】同じく、図５におけるＡ−Ａ線による断面図である。
【図７】同じく、他の使用状態を示す図２相当図である。
【図８】同じく、さらに他の使用状態を示す図２相当図である。
【図９】同じく、規制部を形成することなく使用した状態を示す図２相当図である。
【図１０】この発明の第二の実施の形態の、図２相当図である。
【図１１】同じく、ベース体の拡大正面図である。
【図１２】同じく、ベース体の拡大平面図である。
【図１３】同じく、図１２におけるＢ−Ｂ線による断面図である。
【図１４】同じく、他の使用状態を示す図１０相当図である。
【図１５】この発明の他の実施の形態を示す、図１相当図である。
【発明を実施するための形態】
【００２０】
以下、この発明に係る配線・配管材固定具を実施するための形態を図面に基づいて説明する。
【００２１】
図１〜図９は、本発明の第一の実施の形態を示す。図中符号１は、屋根を示す。２は、前記屋根１を形成する屋根材を示す。すなわち、屋根１は、その屋根１の傾斜方向における下方側の屋根材２０１（２）の一部に上方側の屋根材２０２（２）の一部が上に重なるようにして屋根材２、２が並んで形成される。３は、前記屋根１の上に配線・配管される配線・配管材（配線材または配管材）を示し、太陽光発電用の太陽電池に接続される電気ケーブル（配線材）とか、その電気ケーブルを収容保護する保護管とか、太陽光温水器に接続される通水管（配管材）とかからなる。４は、前記屋根１の上に配線・配管材３を固定するための、配線・配管材固定具を示す。
【００２２】
ここで、配線・配管材固定具４は、屋根材２に取り付けられるよう、下方側の屋根材２０１（２）と上方側の屋根材２０２（２）との重なり部分の隙間１ａに外側から挿入される、被取付部５と、配線・配管材３を保持する保持部６とを、備える。被取付部５は、被取付部本体５ａと、その被取付部本体５ａに、被取付部５の少なくとも挿入方向Ｐにずれて設けられる、複数の爪部形成片５ｂ、５ｂとを、有する。これら爪部形成片５ｂ、５ｂは、被取付部本体５ａ側に倒れた位置から、前記挿入方向Ｐとは反対の反挿入方向Ｑを向くように斜めに起こされた位置に塑性変形可能である。そして、その斜めに起こされて形成される爪部５ｃは、相対的に被取付部本体５ａに向かう側に弾性的に変形可能となっている。そこで、複数ある爪部形成片５ｂ、５ｂのうちの所要の爪部形成片５ｂを斜めに起こして爪部５ｃを形成しておき、被取付部５を前記隙間１ａに外側から挿入することにより、その爪部５ｃが、上方側の屋根材２０２または下方側の屋根材２０１（図示実施の形態においては、上方側の屋根材２０２の前側である前端に下方に向けて突出するように形成された前垂部２ａ）に掛け止められて、被取付部５が前記隙間１ａから抜け止めされる。
【００２３】
ここにおいて、被取付部５における爪部形成片５ｂは、前記挿入方向Ｐにずれて、三つ以上（図示実施の形態においては、６つ）設けられ、それら爪部形成片５ｂ、５ｂのうちの、前記挿入方向Ｐの先端側から数えた一つ目、または、一つ目および二つ目（図示実施の形態においては、一つ目および二つ目）が、予め斜めに起こされて前記爪部５ｃとなっている（図３、図４参照）。
【００２４】
そして、被取付部５は、板材からなり、爪部形成片５ｂ、５ｂの少なくとも一部の爪部形成片５ｂ（図示実施の形態においては、全部の爪部形成片５ｂ、５ｂ）は、前記挿入方向Ｐに直交する、被取付部５の幅方向Ｒの両端縁に設けられ、かつ、その端縁に通ずる切込み５ｄによって形成されている。
【００２５】
また、爪部形成片５ｂは、被取付部本体５ａから直立するよう起こされた位置に塑性変形可能であって、その直立して形成される規制部５ｅは、被取付部５の、前記隙間１ａに外側から挿入される挿入長さを制限するように、上方側の屋根材２０２の前面部としての前端面２ｂと対向して、その前端面２ｂに係合可能（当接可能）である。
【００２６】
具体的には、配線・配管材固定具４は、前記被取付部５を有するベース体７と、前記保持部６を有してベース体７に着脱可能に取付け固定される保持部材８とを備える。
【００２７】
ベース体７は、金属製であって、帯状の板材からなり、その長手方向の一方側（挿入方向Ｐ側）に、前記被取付部５を有し、他方側（反挿入方向Ｑ側）に、保持部材８が取付け固定される保持部材取付部７ａを有する。
【００２８】
被取付部５における爪部形成片５ｂは、前記挿入方向Ｐにずれて（詳細には、挿入方向Ｐに並ぶようにして、つまり、ベース体７の長手方向に並ぶようにして）、複数（詳細には、六つ）設けられる。特に、図示実施の形態においては、爪部形成片５ｂは、二列となるように、被取付部５の幅方向Ｒの両端縁に設けられている。この爪部形成片５ｂが起こされて形成される爪部５ｃは、前記反挿入方向Ｑを向くように斜め上方に起立する。そして、この爪部５ｃは、上方側の屋根材２０２の前垂部２ａに掛け止められるとともに、上方側の屋根材２０２の下面２ｃに当接する。
【００２９】
また、被取付部５には、接着材充填部５ｆが設けられており、ベース体７、ひいては、配線・配管材固定具４を、接着材によっても、屋根材２（つまりは、屋根１）に取り付けることができる。この接着材充填部５ｆは、上方に膨出形成され、その内部は、接着材の充填空間５ｇとなって、屋根材２の上面に臨むように下方が開放するとともに、前記反挿入方向Ｑ側が後に詳述する保持部材取付部７ａの内側に連通している（図６参照）。そして、この接着材充填部５ｆには、上面に、充填空間５ｇに接着材を充填するための充填孔５ｈがあけられている。さらに、接着材充填部５ｆの上面には、充填孔５ｈから離れた位置に（詳細には、充填孔５ｈから前記反挿入方向Ｑ側の離れた位置に）、接着材の充填状態を確認するための確認孔５ｉがあけられている。
【００３０】
また、被取付部５には、ビスが挿通される取付孔５ｊが設けられており、ベース体７、ひいては、配線・配管材固定具４を、取付孔５ｊを挿通して屋根材２にねじ込まれるビスによっても、屋根材２（つまり、屋根１）に取り付けることができる。
【００３１】
ベース体７における保持部材取付部７ａは、上方に突出形成されて（図示実施の形態においては、上方に突出するよう屈曲あるいは湾曲形成されて）、保持部材８の基部８ａを止めるための固着具９が挿入される、固着具挿入孔７ｂを有する。図示実施の形態においては、固着具９は、ビス９ａからなり、固着具挿入孔７ｂは、そのビス９ａが螺合する螺合孔からなって、保持部材８の基部８ａに設けられた通孔８ｂに挿入されたビス９ａが、固着具挿入孔７ｂに螺合することで、保持部材８は、ベース体７の保持部材取付部７ａに取付け固定される。
【００３２】
また、保持部材８は、金属製であって、帯状の板材からなり、その長手方向の一方側に前記保持部６を有し、他方側に前記基部８ａを有する。保持部６は、逆Ｕ字状に曲げられて、その内側に配線・配管材３が保持される。つまり、保持部６に配線・配管材３を通したり保持部６を配線・配管材３に掛けたりすることで、配線・配管材３は保持される。そして、基部８ａは、保持部６の逆Ｕ字状の一端から直角に折れ曲がって形成され、その板面を貫通するようにして前記通孔８ｂが設けられる。
【００３３】
次に、この第一の実施の形態に示す配線・配管材固定具４の作用効果について説明する。この配線・配管材固定具４によると、配線・配管材３を屋根１に固定するには、始めに、配線・配管材固定具４の被取付部５に備わる複数の爪部形成片５ｂ、５ｂのうちの所要の爪部形成片５ｂを斜めに起こすことで、爪部５ｃを形成しておく（図示実施の形態においては、爪部形成片５ｂ、５ｂのうちの、前記挿入方向Ｐの先端側から数えた一つ目および二つ目が、予め斜めに起こされて爪部５ｃとなっているが、図１および図２に示す例では、四つ目の爪部形成片５ｂを斜めに起こして爪部５ｃを形成し、その爪部５ｃを、屋根材２に掛け止められる爪部とする。）。そして、被取付部５を、下方側の屋根材２０１（２）と上方側の屋根材２０２（２）との重なり部分の隙間１ａに外側から挿入する。すると、爪部５ｃは、隙間１ａで相対的に被取付部本体５ａに向かう側に変形（弾性変形）しても、復帰（弾性復帰）することで、上方側の屋根材２０２または下方側の屋根材２０１（図示実施の形態においては、上方側の屋根材２０２の前垂部２ａ、詳しくは、前垂部２ａの内側面）に掛け止められる。こうして、被取付部５、ひいては配線・配管材固定具４は、屋根１に取り付けられる。そして、保持部６で配線・配管材３を保持する。もっとも、配線・配管材固定具４を屋根１に取り付ける作業と、保持部６で配線・配管材３を保持する作業の順序は、特に問わない。
【００３４】
ここで、爪部形成片５ｂは、被取付部５の少なくとも挿入方向Ｐにずれて複数設けられているため、それら爪部形成片５ｂ、５ｂのいずれかを斜めに起こして爪部５ｃを形成し、その爪部５ｃを上方側の屋根材２０２または下方側の屋根材２０１（図示実施の形態においては、上方側の屋根材２０２の前垂部２ａ）に掛け止めることで、上方側の屋根材２０２からの保持部６の位置、つまりは配線・配管材３の位置を調整することができる。すなわち、図２に示す例では、挿入方向Ｐの先端側から数えた四つ目の爪部形成片５ｂが起こされた爪部５ｃを、屋根材２（詳細には、前垂部２ａ）に掛け止められる爪部５ｃとして用い、図７に示す例では、挿入方向Ｐの先端側から数えた二つ目の爪部形成片５ｂが起こされた爪部５ｃを、屋根材１（詳細には、前垂部２ａ）に掛け止められる爪部５ｃとして用い、さらに、図８に示す例では、挿入方向Ｐの先端側から数えた一つ目の爪部形成片５ｂが起こされた爪部５ｃを、屋根材１（詳細には、前垂部２ａ）に掛け止められる爪部５ｃとして用いている。
【００３５】
また、図示実施の形態では、配線・配管材固定具４は、被取付部５を有するベース体７と、保持部６を有する保持部材８とに分かれているため、ベース体７に保持部材８が取付け固定された状態で、保持部６に配線・配管材３を通したり保持部６を配線・配管材３に掛けたりする以外に、保持部材８単独の状態で、保持部６に配線・配管材３を通したり保持部６を配線・配管材３に掛けたりし、その後に、保持部材８をベース体７に取付け固定することもできる。
【００３６】
このように、配線・配管材固定具４を屋根１に取り付けるとともに、保持部６で配線・配管材３を保持することで、配線・配管材３は、屋根１に固定される。そして、この配線・配管材固定具４によれば、被取付部５を屋根材２０１（２）、２０２（２）の隙間１ａに挿入することで、その被取付部５に設けられた爪部５ｃにより配線・配管材固定具４を屋根１に簡単に取り付けることができる。そして、複数ある爪部形成片５ｂ、５ｂのいずれかを斜めに起こして爪部５ｃを形成することで、保持部６に保持される配線・配管材３の、上方側の屋根材２０２からの位置を調整することができる。
【００３７】
また、爪部形成片５ｂは、被取付部５の幅方向Ｒに二つが並んで設けられている。これにより、爪部５ｃは、被取付部５の幅方向Ｒに並ぶ二つが、屋根材２に掛け止められ、このため、配線・配管材固定具４は、回り難くなる。特に、図示実施の形態においては、被取付部５の幅方向Ｒに並ぶ二つの爪部５ｃ、５ｃは、被取付部５の幅方向Ｒの両端縁に設けられるため、配線・配管材固定具４は、より効果的に回り難くなる。
【００３８】
また、爪部形成片５ｂは、被取付部本体５ａから直立させることで、屋根材２、２の隙間１ａに外側から挿入される被取付部５の挿入長さを制限する規制部５ｅとなる。このため、複数ある爪部形成片５ｂ、５ｂは、そのいずれかを、斜めに起こすことで爪部５ｃとして機能させることも、直立するように起こすことで前記規制部５ｅとして機能させることもできる。もっとも、図９に示すように、規制部５ｅを形成することなく、この配線・配管材固定具４を用いても構わない。
【００３９】
また、被取付部５には、接着材充填部５ｆやビスが挿通される取付孔５ｊが設けられている。このため、この配線・配管材固定具４を、爪部５ｃに加えて、接着材やビスを用いることでも、屋根１に取り付けることができる。特に、爪部５ｃだけでは、取付けが安定しない場合に、接着材やビスを用いることで、被取付部５、ひいてはベース体７や配線・配管材固定具４を安定して屋根１に取り付けることができる。
【００４０】
図１０〜図１４は、本発明の第二の実施の形態を示す。この実施の形態は、第一の実施の形態とは、配線・配管材固定具４の被取付部５における爪部形成片５ｂの位置や形状が異なるが、他はほぼ同様であり、以下に、同様の部位には同一の符号を付して、異なる部分を主に説明する。
【００４１】
この配線・配管材固定具４においては、爪部形成片５ｂは、被取付部５の挿入方向Ｐにずれて、三つ以上（図示実施の形態においては、４つ）設けられ、それら爪部形成片５ｂ、５ｂのうちの、前記挿入方向Ｐの先端側から数えた一つ目が、予め斜めに起こされて爪部５ｃとなっている（図１１、図１３参照）。そして、その一つ目の爪部形成片５ｂは、前記挿入方向Ｐに直交する、被取付部５の幅方向Ｒの両端縁に設けられ、かつ、その端縁に通ずる切込み５ｄによって形成されている。
【００４２】
また、爪部形成片５ｂ、５ｂの少なくとも一部の爪部形成片５ｂ（図示実施の形態においては、前記挿入方向Ｐの先端側から数えた一つ目を除く爪部形成片５ｂ）は、前記挿入方向Ｐに直交する、被取付部５の幅方向Ｒの中間位置に設けられている。この幅方向Ｒの中間位置に設けられる爪部形成片５ｂは、板材からなる被取付部５（ベース体７）における、コ字状に打ち抜かれた抜き孔５ｋに囲まれた部分からなる。
【００４３】
そして、爪部形成片５ｂ、５ｂの少なくとも一部の爪部形成片５ｂ（図示実施の形態においては、被取付部５の幅方向Ｒの中間位置に設けられた爪部形成片５ｂ）には、その爪部形成片５ｂを起こすための工具が差し入れられる工具挿入孔５ｍがあけられている。ここで、この工具挿入孔５ｍは、起こされない爪部形成片５ｂにおいては、ベース体７、ひいては、配線・配管材固定具４を屋根材２に取り付けるための取付孔５ｊとなる。このため、配線・配管材固定具４を、取付孔５ｊを挿通して屋根材２にねじ込まれるビスによっても、屋根材２（つまり、屋根１）に取り付けることができる。
【００４４】
ところで、図１０に示す例では、挿入方向Ｐの先端側から数えた二つ目の爪部形成片５ｂが起こされた爪部５ｃを、屋根材２（詳細には、前垂部２ａ）に掛け止められる爪部５ｃとして用い、図１４に示す例では、挿入方向Ｐの先端側から数えた一つ目の爪部形成片５ｂが起こされた爪部５ｃを、屋根材１（詳細には、前垂部２ａ）に掛け止められる爪部５ｃとして用いている。なお、この図１４に示す例では、規制部５ｅは、形成されていない。
【００４５】
この第二の実施の形態に示す配線・配管材固定具４の作用効果は、第一の実施の形態に示す配線・配管材固定具４の作用効果と同様であるが、爪部形成片５ｂに工具挿入孔５ｍがあけられることから、この工具挿入孔５ｍに、ドライバー等の工具を差し入れることで、容易に爪部形成片５ｂを起こすことができ、また、これによって、爪部５ｃや規制部５ｅを容易に形成することができる。
【００４６】
なお、本発明は、上述した実施の形態に限定されるわけではなく、その他種々の変更が可能である。例えば、爪部５ｃは、上方側の屋根材２０２に掛け止められるものでなくとも、図１５に示すように、反挿入方向Ｑを向くように斜めに（詳しくは、斜め下方に）起こされて、下方側の屋根材２０１（詳しくは、下方側の屋根材２０１の後面部としての後端面２ｄ）に掛け止められてもよい。
【００４７】
また、爪部形成片５ｂは、複数ある爪部形成片５ｂ、５ｂの一部が、予め斜めに起こされて爪部５ｃとなっていなくとも、全ての爪部形成片５ｂ、５ｂが、被取付部本体５ａ側に倒れた位置にあり、この配線・配管材固定具４を使用するに当たって、所要の爪部形成片５ｂを斜めに起こすようにしてもよい。
【００４８】
また、被取付部５は、爪部形成片５ｂとは別に、被取付部本体５ａ側に倒れた位置から、直立するよう起こされた位置に塑性変形可能で、少なくとも前記挿入方向Ｐにずれて設けられる、複数の規制部形成片を有してもよい。ここで、その直立して形成される規制部５ｅは、被取付部５の、前記隙間１ａに外側から挿入される挿入長さを制限するように、上方側の屋根材２０２の前面部としての前端面２ｂと対向して、その前端面２ｂに係合可能である。すなわち、爪部形成片５ｂが直立に起こされることで、規制部５ｅが形成されなくとも、専用の規制部形成片が直立に起こされることで、規制部５ｅが形成されてもよい。
【００４９】
また、爪部形成片５ｂとか前述の規制部形成片は、被取付部本体５ａから直立するよう起こされることで、規制部５ｅとなるが、この規制部５ｅと爪部５ｃとで、上方側の屋根材２０２の前垂部２ａを挟持するように（爪部５ｃが前垂部２ａに掛け止められる場合）、あるいは下方側および上方側の屋根材２０１、２０２を挟持するように（爪部５ｃが後面部としての後端面２ｄに掛け止められる場合）、上方側の屋根材２０２の前面部としての前端面２ｂと規制部５ｅとの間隔を詰めてもよい。また、挟持するに当たっては、規制部５ｅは、直立する場合に限らず、挿入方向Ｐを向く側に傾斜してもよい。ここにおいて、規制部５ｅを形成するために、爪部形成片５ｂとか規制部形成片を起こすのは、被取付部５を隙間１ａに挿入する前でも、挿入した後でもよい。また、この爪部形成片５ｂとか規制部形成片を、例えば直立に起こした後に、被取付部５を隙間１ａに挿入し、その後に、爪部形成片５ｂとか規制部形成片（規制部５ｅ）を、挿入方向Ｐを向く側に傾斜させてもよい。
【００５０】
また、第二の実施の形態において、爪部形成片５ｂに工具挿入孔５ｍが設けられているが、第一の実施の形態においても、爪部形成片５ｂに工具挿入孔５ｍが設けられてもよい。
【００５１】
また、保持部材８は、ベース体７の保持部材取付部７ａにビス９ａ（固着具９）を用いて取付け固定されなくとも、固着具９を用いることなく、保持部材取付部７ａに嵌合したり係止されたりして取付け固定されてもよい。
【００５２】
また、ベース体７と保持部材８とは、金属製でなくとも、例えば合成樹脂製であってもよい。
【００５３】
また、配線・配管材固定具４は、被取付部５を有するベース体７と、保持部６を有する保持部材８とに分離されて構成されなくとも、それら被取付部５と保持部６とが一体に形成されてもよい。
【００５４】
また、第一および第二の実施の形態において、爪部５ｃは、上方側の屋根材２０２の前垂部２ａに掛け止められなくとも、例えば、上方側の屋根材２０２の下面の中間位置に設けられる突起部とか凹部に掛け止められてもよい。同様に、図１５に示す実施の形態において、爪部５ｃは、下方側の屋根材２０１の後面部としての後端面２ｄに掛け止められなくとも、例えば、下方側の屋根材２０１の上面の中間位置に設けられる突起部とか凹部に掛け止められてもよい。
【符号の説明】
【００５５】
１  屋根
１ａ  隙間
２  屋根材
２０１  下方側の屋根材
２０２  上方側の屋根材
２ａ  前垂部
２ｂ  前端面（前面部）
３  配線・配管材
４  配線・配管材固定具
５  被取付部
５ａ  被取付部本体
５ｂ  爪部形成片
５ｃ  爪部
５ｄ  切込み
５ｅ  規制部
６  保持部
７  ベース体
７ａ  保持部材取付部
７ｂ  固着具挿入孔
８  保持部材
８ａ  基部
９  固着具
Ｐ  挿入方向
Ｑ  反挿入方向
Ｒ  幅方向
【図１】
0005693414.tif 000002
【図２】
0005693414.tif 000003
【図３】
0005693414.tif 000004
【図４】
0005693414.tif 000005
【図５】
0005693414.tif 000006
【図６】
0005693414.tif 000007
【図７】
0005693414.tif 000008
【図８】
0005693414.tif 000009
【図９】
0005693414.tif 000010
【図１０】
0005693414.tif 000011
【図１１】
0005693414.tif 000012
【図１２】
0005693414.tif 000013
【図１３】
0005693414.tif 000014
【図１４】
0005693414.tif 000015
【図１５】
0005693414.tif 000016